(57)【要約】      （修正有）【課題】温度計にまぜ板を設け、歯周病の湯熱治療に要する均衡且つ所要温度の湯を任意カップ内に造ることを容易にすることにより、歯周病を防止する。【解決手段】温度計１とまぜ板２を一体化状態に、又は温度計１とまぜ板２とを組み合わせた状態のまぜ板付き温度計を構成することにより、歯周病の湯熱治療を行うにあたって任意カップ内に注入した際不均衡温度となった湯を、まぜ板２でかきまぜて均衡温度にしたり、その湯の温度を温度計１で計り、歯周病の予防及び治療等に要する所要温度の湯であるか否か等を確認したり調節したりすることを可能としたことにより、歯周病の予防及び治療等に要する所要温度の湯を任意カップ内に造るとき、前述の両者１、２の内の片方が見付からなくて困る等の不便がないので歯周病の予防及び治療に役立つ。【選択図】図１
0003121833.tif 000002
【実用新案登録請求の範囲】
【請求項１】
温度計にまぜ板を設けたことを特徴とするまぜ板付き温度計
【請求項２】
まぜ板がスプーンの形状である請求項１記載のまぜ板付き温度計
【請求項３】
まぜ板が杓文字の形状である請求項１記載のまぜ板付き温度計
【考案の詳細な説明】
【技術分野】
【０００１】  この考案は、温度計にまぜ板を設けたことを特徴とするまぜ板付き温度計に関するものである。
【背景技術】
【０００２】  従来、個人的にも歯科医師等専門家の間でも、湯熱を利用して歯周病を予防したり治療する等の行為は成されていなかったし、又、公知ではなかった。
このため、歯周病の湯熱治療に要する器具類は今まで何処にも存在しなかった。
従って熱いコーヒーや熱い茶湯等、熱い飲みものを飲むたびに、その熱い飲みものを歯周病で痛む歯や歯茎の腫れた患部附近に含むと、その熱い飲みものの湯熱が直接、又はその熱い飲みものに加熱されて熱をおびた歯や歯茎等を通じて間接的に、歯周病の原因菌を
0003121833.tif 000003
【考案の開示】
【考案が解決しようとする課題】
【０００３】  しかし従来の熱い飲みものの温度は、歯周病の湯熱治療を目的に造られたものではなかったため、例えその飲みものの温度が、歯周病の湯熱治療に適した所要温度であると実感できたときでも、その飲みものはカップ内に注入された際、常温であるカップ内壁面に触れた部分はその壁面に湯熱を吸収されて温度が低下すると共に必然的にカップ内底附近へ移動して溜り、又カップ内壁面に触れず温度が低下しなかった部分は必然的にカップ内上層附近へ移動して溜るため、カップ内の飲みものの温度は、カップ内の場所によって温度が異なりきわめて不均衡なものであった。
このため従来の熱い飲みものの湯熱による歯周病の治療効果もその都度不均衡なものと
0003121833.tif 000004
まぜ板が別別では、いざのとき、両者の内の片方が見付からない等、困ることも多い。
そこで任意カップ内に、歯周病の湯熱治療に要する均衡且つ所要温度の湯を造ることのできる器具の必要性を感じ、もともと別別の物品であるところの、湯等をかきまぜて、その湯の温度を均衡にすることのできるまぜ板と、均衡温度となつた湯の温度を計ることのできる温度計とを一体化、又は前述の両者を一組に組み合わせることにより、従来の問題点を解決しようとするものである。
【課題を解決するための手段】
【０００４】  この考案は、温度計にまぜ板を設けたことを特徴とするまぜ板付き温度計である。
このまぜ板付き温度計は、歯周病の湯熱治療を行うにあたって任意カップ内に注入した熱い湯や冷水等を、均衡温度の湯になるようにかきまぜたり、尚且つそのカップ内の湯を口内の歯周病患部に含んだとき、その湯が持つ湯熱によって、口内の皮膚を火傷することなく、歯周病の原因菌を弱体化したり殺菌したりすることのできる所要温度であるか？否か？等を、温度計を使って確認したり調節したりすることができるようにしたことにより、従来の問題点を解決している。
【考案の効果】
【０００５】  上述のように、この考案のまぜ板付き温度計は、温度計にまぜ板を設けたことを特徴としたものであるから、歯周病の湯熱治療に要する均衡且つ所要温度の湯を、任意カップ内に造る際、湯の温度を計る温度計はあるのにまぜ板が見付からなくて困ることはないし、又、湯をまぜて均衡温度にするまぜ板はあるのに温度計が見付からなくて困るようなこともないので、いざのとき、任意カップ内に歯周病の湯熱治療に要する所要温度の湯を容易に造ることができる上に、何度使用しても歯周病の薬や予防薬のように、使用する度にどんどん量が減少したり無くなったりするようなことはないし、度度購入する必要もないので、実用上の効果のみでなく、経済効果もきわめて大である。
又、この考案に係るまぜ板は、単に歯周病の治療に要する温度の湯を造ることのみに適した単なる平坦な簿板状ではなく、中央が凹んだ形状にしてあるので、例えば小型のまぜ板付き温度計は、飲食用スプーンに応用することができるし、更に大型のスプーンの形状をしたまぜ板付き温度計、その他杓文字の形状をした大型のまぜ板付き温度計では、足の皮ふ病である水虫の湯熱治療を行うにあたって、足を入れたとき、足の皮ふを火傷することなく、水虫の原因菌を弱体化したり殺菌したりすることのできる所要温度の湯を、足を出し入れすることのできる大きさと形状をした、例えば浴室等で使用する洗面器内に造るとき、その洗面器内に注入した湯を均衡温度になるようにかきまぜるまぜ板はあるのに、その湯の温度を計る温度計が見付からなくて困ったり、逆に温度計はあるのに、まぜ板が見付からなくて困る等の不便はないし、又、使用する度にどんどん減少する水虫薬も不要であるから水虫薬の費用も不要である等、実用上の効果のみでなく、経済的効果もきわめて大である。
［考案を実施する最良の形態］【０００６】  第１実施の形態
ガラス材等から成る温度計の下部所要個所に、ガラス材等から成るスプーンの形状をしたまぜ板の所要個所を一体化状態に取り付けることにより、温度計にまぜ板を設けた状態となる。【０００７】  第２実施の形態
温度計の下部所要個所に着脱自在になるように被せることのできる大きさと形状をしたプラスチック材等から成るキヤップの背部所要個所に、プラスチック材等から成るスプーンの形状をしたまぜ板の所要個所を一体化状態に取り付け、そのキヤップを、温度計の下部に着脱自在になるように被せることにより、温度計にまぜ板を設けた状態となる。【０００８】  第３実施の形態
プラスチック材等から成る温度計容器の下部所要個所に、プラスチック材等から成るスプーンの形状をしたまぜ板の所要個所を一体化状態に取り付け、その温度計容器内に温度計を収容することにより、温度計にまぜ板を設けた状態となる。【０００９】  第４実施の形態
温度計をもつ目盛り付き板の下部所要個所に、杓文字の形状をしたまぜ板の所要個所を一体化状態に取り付けることにより、温度計にまぜ板を設けた状態となる。【００１０】  第５実施の形態
温度計をもつ目盛り付き板の下部所要個所に、着脱自在になるように被せることのできる大きさと形状をしたキヤップの背部所要個所に杓文字の形状をしたまぜ板の所要個所を一体化状態に取り付け、そのキヤップを、目盛り付き板の下部所要個所に着脱自在になるように被せることにより、温度計にまぜ板を設けた状態となる。
【実施例】  以下添付図面に従って、いろいろな実施例を説明する。【００１１】  第１実施例
図１は、この考案の第１実施例を示す正面図、図２は、同じ第１実施例の図１Ａ−Ａ線の一部切欠断面図。
第１実施例のものでは、ガラス材等から成る温度計１の下部所要個所に、ガラス材等から成るスプーンの形状をしたまぜ板２の所要個所を一体化状態に取り付けて、温度計にまぜ板を設けたものとしている。
これを使用するにあたっては、日頃飲みなれている熱い茶湯、その他熱いコーヒー等と同等熱さの熱い湯を、保温効果の大なる発泡スチロール、その他プラスチック等から成る任意カップ内に注入する。
カップ内に注入された湯の一部は、必然的に常温であるカップ内壁面に触れると同時に湯熱を吸収されて温度が低下しカップの底附近へ移動して溜り、カップ内壁面に触れず温度が低下しなかった部分はカップの上層附近へ移動して溜るので、カップ内の湯は、カップ内の場所によって温度差のある不均衡温度の湯となる。
不均衡温度の湯は、従来の熱い飲みものと同じようなものであるから、不完全な治療効果しか得ることができない。
そこで歯周病に対する湯熱治療の効果を、より完全なものにするために、温度計１の適当個所を手指で握り、まぜ板２及び温度感知部１ａ部分をカップ内の湯にさし込み、４〜５回ぐるぐるかきまぜると、カップ内の湯は均衡温度の湯に仕上がると同時に、温度感知部１ａが湯の温度を感知し、その温度が目盛り付き部１ｂの目盛りに表示される。
表示された前述の湯の温度は、日頃飲みなれている熱い飲みものの温度と同等の温度であるが、複数の歯周病者による実験の結果によると個人差が大であるため、約摂氏４８度〜約摂氏６０度であり、口内の皮ふを火傷するおそれはきわめて少なかった。
そこで目盛りに表示された温度の湯を、口内の歯周病患部に注意しながらどっぷりと試し含みすることになる。
このとき、万一口内の皮ふを火傷するおそれがある、又は、もう少温度が高くても我慢することができる、と考えられるときは、そのカップ内の湯に適当量の冷水、又は適当量の熱湯を注入し、前述と同じように均衡温度の湯に仕上げて、歯周病患部に試し含みし、口内の歯周病患部に含んだ時、口内の皮ふを火傷することなく、我慢することのできる最高温度の湯であると感じた時、その温度の湯が、以後任意カップ内に造り、それを口内の歯周病患に含んだ時、口内の皮ふを火傷することなく、歯周病の原因菌を弱体化したり殺菌したりすることのできる温度の湯であるから、そのカップ内の湯の温度を確認すると共に、口内の歯周病患部に含んでいる湯の温度はどんどん低下するので、約２０〜３０秒経過後早早に吐き捨てると共に、カップ内の確認した温度の湯を、前述のように患部に含み、そして吐き捨てる等の行為を複数回くり返し行えば、その湯熱によって、歯周病患部の
0003121833.tif 000005
りすることになるので、歯周病の原因菌によって歯根附近が破戒され、回復不可能な状態
0003121833.tif 000006
気付かぬ内に弱体化したり殺菌したりしていることにもなるので、歯周病患部周辺の歯や
0003121833.tif 000007
周病の発生を断ち得る効果もある等、いろいろ好都合なのである。
又、この考案の湯熱治療は、虫歯の原因菌に対しても大なる効果を有することは云うまでもない。
そして、前述の湯熱による治療行為を日日適当にくり返したところ、日時が経過するに従って、口内の皮ふ感覚や精神状態も湯熱に対して慣れが生じ、一例を述べると、例えば頭初、摂氏約５０度の湯熱が我慢の限介点であったものが、数日後には摂氏約５８度の湯でも、歯周病患部に含むことができるようになったことは吻論、湯熱の上昇に慣れるに従って、歯周病の回復速度も、きわめて速やかであったことは云うまでもない。
又、温度計１を手指で握り、スプーンの形状をしたまぜ板２を飲食用スプーンとして使用すれば、温度計１をまぜ板２の持ち手として応用することができるし、その温度計１で飲食物の温度を計れば、その飲食物が、飲み頃食べ頃等の温度であるか否か等も確認することが出来るので、例えば飲食の介護を要する幼児や身体障害者等受介護者が飲食の際、介護者がまぜ板２で飲食物をすくって受介護者の口内へ入れたとき、その飲食物の温度が高温すぎて受介護者があわてて吐き出す等の失敗もないので、介護者、受介護者共に、きわめて好都合である。【００１２】  第２実施例
図３は、この考案の第２実施例を示す正面図、図４は同じ第２実施例の図３Ａ−Ａ線の上部を切り欠いた断面図である。
第２実施例では、温度計１の下部所要個所に着脱自在になるように被せることのできる大きさと形状をしたプラスチック材等から成るキヤップ３の背部所要個所に、プラスチック材等から成るスプーンの形状をしたまぜ板２の所要個所を一体化状態に取り付け、そのキヤップ３を、温度計１の下部所要個所に着脱自在になるように被せることにより、温度計にまぜ板を設けたものとしている。３ａは口、３ｂは貫通孔である。
このようにすると、温度計１の適当個所を手指で握り、任意カップ内に注入された熱い湯内にまぜ板２及び貫通孔３ｂ、３ｂ…３ｂ部分をさし込めば、カップ内の湯を第１実施例のものと同じようにかきまぜて均衡温度の湯にできるし、その湯は貫通孔３ｂ、３ｂを通じて直接、温度感知部１ａに感知されるので、第１実施例のものと同じように、任意カップ内に歯周病の湯熱治療に要する所要温度の湯を造ることができる。
又、まぜ板２をスプーンの形状にしてあるので、これを飲食用スプーンとして使用し得ることは吻論、温度計１を、まぜ板２の持ち手として応用できることは云うまでもない。【００１３】  第３実施例
図５は、この考案の第３実施例を示す部分断面正面図、図６は同じ第３実施例の図５Ａ−Ａ線の一部切欠き断面図である。
第３実施例は、プラスチック材等から成る温度計容器４の下部所要個所に、プラスチック材等から成るスプーンの形状をしたまぜ板２の所要個所を一体化状態に取り付け、その温度計容器４内に温度計１を収容することにより、温度計にまぜ板を設けたものとしている。図示の４ａは口、４ｂはキヤップである。
このようにすると、いざのとき温度計容器４の適当個所を手指で握り、第１実施例のものと同じように、任意カップ内に注入された熱い湯、又は熱湯と冷水内にまぜ板２をさし込んで４〜５回ぐるぐるとかきまぜれば、カップ内の湯を均衡温度の湯にすることができるし、温度計容器４からキヤップ４ｂを取り除けば、温度計容器４内から温度計１を取り出し、カップ内の湯の温度を計ることができるので、第１実施例のものと同じように、カップ内の湯の温度が歯周病の湯熱治療に要する所要温度であるか否か等を確認したり調節したりすることができるし、又カップ内の湯をまぜ板２でかきまぜる際、温度計容器４をまぜ板２の持ち手として応用することができる上に、まぜ板２は、第１実施例のものと同じように飲食用スプーンとして使用することができる。
更に、スプーンには小型のものから中型、大型のもの、その他形状も円形や楕円形、角のない方形や長方形のもの等いろいろあるので、まぜ板２が前述の内の大型のものでは、例えば、普段浴室等で使用されている、片足を出し入れすることのできる大きさと形状をした洗面器内に適当量の熱目の湯、又は熱湯と冷水を注入し、その湯内にまぜ板２をさし込みぐるぐるとかきまぜて均衡温度にした後、その湯内に足を入れたとき、足の皮ふを火傷することなく、約２〜３秒間、ぐっと我慢することのできる所要温度の湯を造れば、その洗面器内の湯に、足の皮ふ病である水虫症状部分がどっぷりとつかるように足を入れ、その湯の熱さに我慢することができなくなった２〜３秒後に湯から足を出し、再度その湯内に、湯熱を帯びて熱くなっている水虫症状部分の細胞や皮ふの温度が大きく低下しない状態の足を入れ、そして出す等の行為を何度もくり返すと、洗面器内の湯熱によって直接、又は湯熱を帯びた足の皮ふや細胞等の熱さによって間接的に水虫の原因菌を弱体化したり殺菌したりすることができるのである。
従って、前述の治療行為を入浴の度に、又は日日適宜にくり返し行えば、水虫による酷い足の痒みや痛み、水胞の潰れたじゆくじゆく症状等も早期に治まり、水虫患部の皮ふも普通の状態になるし、水虫用の薬や費用等も不要になる上に、共用されているスリッパ等の使用によって、水虫が他者の足に感染するようなこともない等、実用上の効果のみでなく、経済的効果等もきわめて大である。
因みに、前述の洗面器内の湯に足を入れる水虫の湯熱による治療行為は、当初２〜３秒間が我慢の限界温度であっても、洗面器内の湯に足を出し入れしている内に湯の温度がどんどん低下すると共に湯熱効果も大きく低下するので、湯熱温度に対して７〜８秒間我慢できるようになった時点で、洗面器内の湯に適量の熱湯を加えれば、当初の我慢の限界が２〜３秒であった湯の温度に戻すことができるので、水虫の足の湯熱治療行為は、右足のみでも、左足のみでも、又両足でも自由に行うことができる。【００１４】  第４実施例
図７は、この考案の第４実施例を示す正面図、図８は同じ第４実施例の図７Ａ−Ａ線の上部を切り欠いた断面図である。図示の５ａは貫通孔、５ｂは目盛り付き部である。
第４実施のものでは、温度計１をもつ目盛り付き板５の下部所要個所に杓文字の形状をしたまぜ板２の所要個所を一体化状態に取り付け、温度計にまぜ板を設けたものとしている。
このようにすると、杓文字の形状をしたまぜ板２の大きさが、第３実施例の大型のスプーンの形状をしたまぜ板２と同程度の大きさであるから、第３実施例のものと同じように、いざ水虫の湯熱治療を行うにあたって、洗面器内に注入した熱目の湯、又は熱湯と冷水とを均衡温度になるようにかきまぜるとき、まぜ板２の大きさが適当大きさであるし、又洗面器内の湯をまぜ板２でかきまぜる際、貫通孔５ａを通して温度感知部１ａがその湯内にどっぷりとつかり、その湯の温度を感知して目盛り付き部５ｂの目盛りに表示されるので、第３実施例のものと同じように、洗面器内に水虫の湯熱治療に要する所要温度の湯を容易に作ることができるし、又洗面器内の湯をまぜ板２でかきまぜる際、目盛り付き板５を手指で握れば、これをまぜ板２の持ち手として応用することができる。
更に、このまぜ板付き温度計は入浴の際、浴槽内の湯の温度を計り、湯かげんの可否を確認したり、又まぜ板２が杓文字の形状であるから、これを入浴の際、浴槽内に入れる入浴剤や芳香剤等を椈う器具として応用し得る効果もある。【００１５】  第５実施例
図９は、この考案の第５実施例を示す正面図、図１０は同じ第５実施例の図９Ａ−Ａ線の上部を切欠いた断面図である。図示の６はキヤップ、６ａは貫通孔、６ｂは口である。
第５実施例では、温度計１をもつ目盛り付き板５の下部所要個所に、着脱自在になるように被せることのできる大きさと形状をしたプラスチック材等から成るキヤップ６の背部所要個所に、プラスチック材等から成る杓文字の形状をしたまぜ板２の所要個所を一体化状態に取り付け、そのキヤップ６を、目盛り付き板５の下部所要個所に着脱自在になるように被せることにより、温度計にまぜ板を設けたものとしている。
このようにすると、杓文字の形状をしたませ板２の大きさが、第３実施例の大型のスプーンの形状をしたまぜ板２、又は第４実施例の杓文字の形状をしたまぜ板２等と同じように、水虫の湯熱治療を行うにあたって、洗面器内に注入した熱目の湯、又は熱湯と冷水等を、まぜ板２で均衡温度になるようにかきまぜることができるし、その湯の温度は貫通孔６ａ、６ａからキヤップ６内に流入、切通し部５ｃを通過した湯の温度と共に温度感知部１ａに感知され、目盛り付き部５ｂの目盛りに表示されることになる。
従って、その洗面器内の湯の温度が足の皮ふを火傷することなく２〜３秒間、我慢することのできる最高温度であれば、第３実施例、又は第４実施例のものと同じように、水虫の湯熱治療を行うことができるし、又同じ効果を得ることができる。
因みに、前述の洗面器内に造る最高温度の湯は、複数者の実験によると、それぞれ個人差があるため一定せず、湯熱になれた場合は別にして、摂氏約４７度〜摂氏約５３度であった。
【図面の簡単な説明】
【００１６】
【図１】  この考案の第１実施例を示す正面図。
【図２】  同じ第１実施例の図１Ａ−Ａ線の一部切欠断面図
【図３】  この考案の第２実施例を示す正面図。
【図４】  同じ第２実施例の図３Ａ−Ａ線の上部を切り欠いた断面図。
【図５】  この考案の第３実施例を示す部分断面正面図。
【図６】  同じ第３実施例の図５Ａ−Ａ線の一部切欠き断面図。
【図７】  この考案の第４実施例を示す正面図。
【図８】  同じ第４実施例の図７Ａ−Ａ線の上部を切り欠いた断面図。
【図９】  この考案の第５実施例を示す正面図。
【図１０】  同じ第５実施例の図９Ａ−Ａ線の上部を切欠いた断面図。
【符号の説明】
【００１７】  １  温度計
１ａ  温度感知部
１ｂ  目盛り付き部
２  まぜ板
３  キヤップ
３ａ  口
３ｂ  貫通孔
４  温度計容器
４ａ  口
４ｂ  キヤップ
５  目盛り付き板
５ａ  貫通孔
５ｂ  目盛り付き部
５ｃ  切通し部
６  キヤップ
６ａ  貫通孔
６ｂ  口
【図１】
0003121833.tif 000008
【図２】
0003121833.tif 000009
【図３】
0003121833.tif 000010
【図４】
0003121833.tif 000011
【図５】
0003121833.tif 000012
【図６】
0003121833.tif 000013
【図７】
0003121833.tif 000014
【図８】
0003121833.tif 000015
【図９】
0003121833.tif 000016
【図１０】
0003121833.tif 000017